(57)【特許請求の範囲】
【請求項１】
複数のアンテナエレメントを具備するアンテナブームを，横臥させた状態で下方から支持するようにした略Ｕ字形状の断面略円形の支持杆に備えられ，当該支持杆をマストに対して取り付けることができるように構成されたマスト取付用の金具であって，前記支持杆に対して，取付ボルトを使って前記アンテナエレメントの配設方向を水平方向から垂直方向の範囲で回動自在に固着して取り付けるように構成されたマスト取付基体と，当該マスト取付基体との間に前記マストを受け入れ，当該マストに当て付けるマスト当付金具と，前記マスト取付基体に備えられ，当該マスト取付基体と前記マスト当付金具とを，前記マストを挟んだ状態でナットの螺合を使って挟持緊締するＵ字ボルトと，からなるマスト取付金具において，
前記マスト取付基体は，内側には前記支持杆の外周面に重合しないように形成され，前記支持杆の一方側の側面を受け入れる凹部を有した受入部を備えると共に，外側には前記マストに向かうように設けられ，当該マストに添え付けるように形成された一対の添付部と，前記受入部の中間位置にあって前記マストとは重合しないように設けられ，前記Ｕ字ボルトの元部を回動自在に収納する収容部と，を備えてなる基体と，
前記基体の両側に延設され，内側に前記支持杆を受け入れ回動自在に固着するように形成された部材であって，前記支持杆の外周面に対応する凹部を有するように形成され，当該支持杆の一方側の側面を開口部から前記凹部に受け入れる当接部と，当該当接部の前記凹部の形成方向における一方側の開口端部から突出するように連設され，当該支持杆の他方側の側面の一部に沿うように形成された止着部と，前記当接部に設けられた孔であって，前記凹部の形成方向に長手方向を有するように形成され，前記取付ボルトを挿通すると共に，前記支持杆の配設方向の変更に伴う前記取付ボルトの回動を自在とするように構成された長孔と，前記止着部の先端面から前記長孔に向けて，前記長孔の長手方向の軸線と略一致する軸線を有するように設けられ，前記取付ボルトの回動に伴って当該ボルトの端部を挿抜自在に係合する大きさに形成された切欠部と，前記止着部の先端面部分から外方向に向けて突設した係止片と，を備えてなる支持杆取付体と，
から構成されたマスト取付金具。
【請求項２】
前記止着部は，前記当接部の上側の開口端部から前記支持杆側に向かって突出するように連設され，前記開口端部から前記係止片までの範囲内で続く平面を有する板体からなり，しかも，当該板体は前記支持杆の他方側の上側側面に沿うよう水平方向より下方に向けて前記平面を傾斜させた状態に形成されており，
前記支持杆に対して，前記アンテナエレメントの配設方向が水平方向を向くように取り付けた状態において，前記当付部と前記止着部とで前記支持杆を挟み込むようにして，前記取付ボルトを使って挟持緊締するように構成されていることを特徴とした請求項１に記載のマスト取付金具。
【発明の詳細な説明】
【技術分野】
【０００１】
本発明は，支持杆の上方にブームを止着するように構成された屋外用のアンテナを，取り付け対象であるマストに取付けるためのマスト取付金具に関し，詳しくは，前記支持杆に対して，取付ボルトを使ってアンテナのエレメントの配設方向を水平方向から垂直方向の範囲で回動自在に固着して取り付けるように構成されたマスト取付金具に関する。
【背景技術】
【０００２】
従来のテレビ放送受信用アンテナとして一般的な，長尺のアンテナアーム（本発明の実施例のブームに相当）１４と，当該アンテナアーム１４に配列された複数のアンテナ素子１４Ａから構成されるアンテナ１１において，当該アンテナ１１を取付け対象物であるマスト１２に取付ける方法の一例として，アンテナアーム１４の中間部に略Ｕ字状のアンテナ補助アーム（本発明の実施例の支持杆に相当）１５を取付けることで，アンテナアーム１４と当該アンテナ補助アーム１５の端部を取付具１６を介して支持すると共に，前記アンテナ補助アーム１５に具備されたマスト取付金具１３を使ってアンテナ１１を支持した前記アンテナ補助アーム１５を，前記マスト１２に取付ける構造のものが知られている。
【０００３】
更に言えば，前記アンテナ１１を使って，例えばテレビ放送電波のような，水平偏波若しくは垂直偏波の何れか一方の偏波を使って放射される電波を受信することを考えると，当該電波を受信するアンテナ１１は，簡単な操作で，水平偏波による電波にも垂直偏波による電波にも対応できるように構成されていることが望ましい。このような両偏波で放射される電波の受信に前記アンテナ１１を対応させるには，当該アンテナ１１の設置時に，受信する電波の偏波に応じて，当該アンテナ１１の取付方向を機械的に変える方式が，安価に構成でき，且つ，簡単に取り付けができる。その為，一般的には，前記アンテナ１１を支持している前記アンテナ補助アーム１５に具備された前記マスト取付金具１３が，当該アンテナ１１の取付方向を適切に切換えることができる機構を備えるように構成されている。
【０００４】
ところで，このような機構を備えた前記マスト取付金具１３であっても，前記アンテナ補助アーム１５を含む前記アンテナ１１の自重が全て加わった状態でも耐え得るように構成されていなければならない。更に言えば，前記マスト取付金具１３は，風が吹き付けることで発生する風圧や，降雪によってアンテナ１１に着雪した雪の自重が加わっても，アンテナ１１が傾いてしまわないように，設置時の状態を維持する強固さが必要とされる。特に，前記アンテナ１１が水平偏波を受信するようマスト１２に取り付けられており，しかもその設置場所が，降雪量の多い豪雪地帯に設置されている場合でも，アンテナ１１の上に繰り返し積もる大量の雪の荷重に耐えるようにしなければならない。しかしながら，周知技術として知られている，本願における説明図の図５（ｂ）によって示された構成のマスト取付金具１３では，アンテナ１１の上に積もった雪の積雪荷重によって，前記取付ボルト２１が徐々に曲がってしまって前記アンテナ１１が大きく傾き，その結果，受信性能を大きく損なうことがあった。
【０００５】
そこで，前記従来技術では，前記マスト取付金具１３に対して前記アンテナ補助アーム１５を挟んでアンテナ取付補助具１を設けるように構成しておいて，前記アンテナ取付補助具１は，前記マスト取付金具１３に取付ボルト２１を用いてねじ止めされると共に，前記マスト取付金具１３に連結されている部分を有するように構成して，特に水平偏波を受信する状態における支持剛性を高めたアンテナ補助アーム１５の取付構造が提案されている。
（例えば，特許文献１参照）
【先行技術文献】
【特許文献】
【０００６】
【特許文献１】特開２０１０−０３４９９３号公報
【発明の概要】
【発明が解決しようとする課題】
【０００７】
ところが，前記従来技術のマスト取付金具１３では，新たに追加したアンテナ取付補助具１の存在によって，前記マスト取付金具１３の支持剛性が高くなるものの，部品点数が増えてコストが高くなると言った問題があった。また，部品点数の増加は，アンテナ１１の自重を増加させることになるから，前記マスト取付金具１３とマスト１２との固着強度を見直したり，マスト１２に加わる荷重の増加に耐え得るように，アンテナ１１の設置工事の見直しを行ったりする必要が有った。
【０００８】
加えて，前記アンテナ取付補助具１は，断面Ｌ字形状の本体部１Ａの長手方向の両側に設けられた断面逆Ｕ字形状の係止部１Ｂを，マスト取付金具１３を構成する第１の部材１８の端縁部１８Ｂｃに係止させるようにして，前記取付ボルト２１を用いてねじ止めする必要があることから，製品の組み立て工数アップし，延いては製品コストが高くなると言った問題も有った。
【０００９】
更に，少なくとも前記アンテナ取付補助具１は，前記アンテナ補助アーム１５を受け入れ添え付けるための前記本体部１Ａの断面がＬ字形状となるように形成したことによって，取付ボルト２１に螺号した蝶ねじ２２が，Ｌ字形状の本体部１Ａの外面側に形成される平面に当接するため，取付ボルト２１によるねじ止め効果が期待できるものの，アンテナの取付方向を変える場合，取付ボルトを大きく緩めないと変更できないと言った問題点があった。
【００１０】
そこで本願は，上記のような問題点を解決するためになされたものであり，
その目的は，特にアンテナが水平偏波を受信するようにマストに取り付けられていて，しかもその設置場所が，降雪量の多い豪雪地帯に設置される場合でも，アンテナに積もる大量の雪の荷重や吹き付ける風による風圧等によって加わる負荷に対して，簡単な構成であっても，傾くことなく耐える支持剛性の高いマスト取付金具を提供することにある。
他の目的は，支持剛性の高い構成であっても，アンテナの設置の際に，水平偏波受信若しくは垂直偏波受信に応じて，アンテナの取付方向を簡単な操作によって適切に切換えることができるマスト取付金具を提供する。
【課題を解決するための手段】
【００１１】
上記課題を解決するために，請求項１の発明は，複数のアンテナエレメントを具備するアンテナブームを，横臥させた状態で下方から支持するようにした略Ｕ字形状の断面略円形の支持杆に備えられ，当該支持杆をマストに対して取り付けることができるように構成されたマスト取付用の金具であって，前記支持杆に対して，取付ボルトを使って前記アンテナエレメントの配設方向を水平方向から垂直方向の範囲で回動自在に固着して取り付けるように構成されたマスト取付基体と，当該マスト取付基体との間に前記マストを受け入れ，当該マストに当て付けるマスト当付金具と，前記マスト取付基体に備えられ，当該マスト取付基体と前記マスト当付金具とを，前記マストを挟んだ状態でナットの螺合を使って挟持緊締するＵ字ボルトと，からなるマスト取付金具において，
前記マスト取付基体は，内側には前記支持杆の外周面に重合しないように形成され，前記支持杆の一方側の側面を受け入れる凹部を有した受入部を備えると共に，外側には前記マストに向かうように設けられ，当該マストに添え付けるように形成された一対の添付部と，前記受入部の中間位置にあって前記マストとは重合しないように設けられ，前記Ｕ字ボルトの元部を回動自在に収納する収容部と，を備えてなる基体と，前記基体の両側に延設され，内側に前記支持杆を受け入れ回動自在に固着するように形成された部材であって，前記支持杆の外周面に対応する凹部を有するように形成され，当該支持杆の一方側の側面を開口部から前記凹部に受け入れる当接部と，当該当接部の前記凹部の形成方向における一方側の開口端部から突出するように連設され，当該支持杆の他方側の側面の一部に沿うように形成された止着部と，前記当接部に設けられた孔であって，前記凹部の形成方向に長手方向を有するように形成され，前記取付ボルトを挿通すると共に，前記支持杆の配設方向の変更に伴う前記取付ボルトの回動を自在とするように構成された長孔と，前記止着部の先端面から前記長孔に向けて，前記長孔の長手方向の軸線と略一致する軸線を有するように設けられ，前記取付ボルトの回動に伴って当該ボルトの端部を挿抜自在に係合する大きさに形成された切欠部と，前記止着部の先端面部分から外方向に向けて突設した係止片と，を備えてなる支持杆取付体と，から構成した。
【００１２】
請求項２の発明は，請求項１に記載のマスト取付金具において，前記止着部は，前記当接部の上側の開口端部から前記支持杆側に向かって突出するように連設され，前記開口端部から前記係止片までの範囲内で続く平面を有する板体からなり，しかも，当該板体は前記支持杆の他方側の上側側面に沿うよう水平方向より下方に向けて前記平面を傾斜させた状態に形成されており，前記支持杆に対して，前記アンテナエレメントの配設方向が水平方向を向くように取り付けた状態において，前記当付部と前記止着部とで前記支持杆を挟み込むようにして，前記取付ボルトを使って挟持緊締するように構成した。
【発明の効果】
【００１３】
請求項１のマスト取付金具は，複数のアンテナエレメントを具備するアンテナブームを，横臥させた状態で下方から支持するようにした略Ｕ字形状の断面略円形の支持杆に備えられ，当該支持杆をマストに対して取り付けることができるように構成されたマスト取付用の金具であって，前記支持杆に対して，取付ボルトを使って前記アンテナエレメントの配設方向を水平方向から垂直方向の範囲で回動自在に固着して取り付けるように構成されたマスト取付基体と，当該マスト取付基体との間に前記マストを受け入れ，当該マストに当て付けるマスト当付金具と，前記マスト取付基体に備えられ，当該マスト取付基体と前記マスト当付金具とを，前記マストを挟んだ状態でナットの螺合を使って挟持緊締するＵ字ボルトと，からなるマスト取付金具において，
前記マスト取付基体は，内側には前記支持杆の外周面に重合しないように形成され，前記支持杆の一方側の側面を受け入れる凹部を有した受入部を備えると共に，外側には前記マストに向かうように設けられ，当該マストに添え付けるように形成された一対の添付部と，前記受入部の中間位置にあって前記マストとは重合しないように設けられ，前記Ｕ字ボルトの元部を回動自在に収納する収容部と，を備えてなる基体と，前記基体の両側に延設され，内側に前記支持杆を受け入れ回動自在に固着するように形成された部材であって，前記支持杆の外周面に対応する凹部を有するように形成され，当該支持杆の一方側の側面を開口部から前記凹部に受け入れる当接部と，当該当接部の前記凹部の形成方向における一方側の開口端部から突出するように連設され，当該支持杆の他方側の側面の一部に沿うように形成された止着部と，前記当接部に設けられた孔であって，前記凹部の形成方向に長手方向を有するように形成され，前記取付ボルトを挿通すると共に，前記支持杆の配設方向の変更に伴う前記取付ボルトの回動を自在とするように構成された長孔と，前記止着部の先端面から前記長孔に向けて，前記長孔の長手方向の軸線と略一致する軸線を有するように設けられ，前記取付ボルトの回動に伴って当該ボルトの端部を挿抜自在に係合する大きさに形成された切欠部と，前記止着部の先端面部分から外方向に向けて突設した係止片と，を備えてなる支持杆取付体と，から構成されている。
【００１４】
つまり，前記マスト取付金具は，その内側に形成された凹部に前記支持杆の一方側の側面を受け入れると共に，前記マスト取付金具に備えられた止着部を，前記支持杆の他方側の側面の一部に被せつけた状態で，前記支持杆を挟み込むようにして前記取付ボルトで固定保持するように構成されている。従って請求項１の発明によれば，前記支持杆（言い換えれば，アンテナ）に，積雪荷重や風圧荷重による負荷が加わったとしても，これらの力は前記取付ボルトだけではなく，前記止着部においても受け止め支えることができるから，前記取付ボルトだけに負荷が集中して，当該取付ボルトが曲がってしまうことが防げるので，アンテナが大きく傾いて受信性能を劣化させることの無いマスト取付金具を提供できる。
【００１５】
しかも，前記止着部はマスト取付金具と一体的に形成されているため，当該マスト取付金具本体自体も，前記支持杆の保持状態を維持する役目を担わすことができるので，従来技術のように補強のための余分な部材を備えたり，当該部材を組み付けたりする手間が省けることから，コストが安価で且つ取扱性の優れたマスト取付金具を提供できる。
【００１６】
更に，アンテナの配設方向の変更に当たっては，前記取付ボルトの緊締状態を，少なくとも前記係止片を乗り越えるほどに緩めるだけで行うことができ，従来技術のように大きく緩める必要が無いので，良好な利便性を有したマスト取付金具を提供できる。
【００１７】
また望ましくは，請求項２の発明のように，請求項１に記載のマスト取付金具において，前記止着部は，前記当接部の上側の開口端部から前記支持杆側に向かって突出するように連設され，前記開口端部から前記係止片までの範囲内で続く平面を有する板体からなり，しかも，当該板体は前記支持杆の他方側の上側側面に沿うよう水平方向より下方に向けて前記平面を傾斜させた状態に形成されており，前記支持杆に対して，前記アンテナエレメントの配設方向が水平方向を向くように取り付けた状態において，前記当付部と前記止着部とで前記支持杆を挟み込むようにして，前記取付ボルトを使って挟持緊締するように構成されているのが良い。
【００１８】
つまり，前記マスト取付金具は，その内側に形成された凹部に前記支持杆の一方側の側面を受け入れると共に，前記マスト取付金具と一体的に形成された前記止着部を，前記支持杆の他方側の上側側面に被せつけた状態で，前記当付部と前記止着部とで前記支持杆を挟み込むようにして，前記取付ボルトでもって挟持緊締することができる。従って請求項２の発明によれば，特にアンテナが水平偏波を受信するようにマストに取り付けられていて，しかもその設置場所が，降雪量の多い豪雪地帯に設置される場合において，アンテナに積もる大量の雪の積雪荷重や吹き付ける風による風圧荷重等によって発生する負荷が，前記支持杆に加わったとしても，これらの力は前記取付ボルトと当該取付ボルトの端部が係合されている前記止着部（即ち，マスト取付金具）とで分散して受け止め支えることができるから，アンテナに加わるストレスによって，前記取付ボルトが曲がってしまってアンテナが大きく傾き，受信性能が劣化することを防げる。
【００１９】
しかも，請求項２の発明は，水平方向より下方に向くように形成された前記止着部が，前記支持杆の他方側の上側側面において沿うように被せつけた状態に配設されていることから，仮に，前記アンテナに対して前記止着部が撓むような大きな力が加わったとしても，当該止着部が前記支持杆７を巻き込む向きに撓んで負荷を吸収するため，前記取付ボルトに負荷が集中して当該取付ボルトが曲がってしまうことを防止でき，前記支持杆７の配設方向の大きな変化を起こすことが無い。
【図面の簡単な説明】
【００２０】
【図１】本願発明のマスト取付金具を備えたアンテナの設置状態を示す斜視図。
【図２】本願発明のマスト取付金具を説明するための分解斜視図である。
【図３】本願発明のマスト取付金具を構成するマスト取付基体を説明するための図であり，（ａ）は上面図，（ｂ）は（ａ）の右側面図，（ｃ）は正面図，（ｄ）は（ｃ）の右側面図，（ｅ）は（ｃ）におけるＡ−Ａ´線から見た断面図，（ｆ）は（ｃ）におけるＢ−Ｂ´線から見た断面図，（ｇ）は支持杆を装着した状態を示す右側面図である。
【図４】本願発明のマスト取付金具と支持杆の装着状態を説明するための要部拡大図であり，（ａ）は水平偏波受信の場合，（ｂ）は垂直偏波受信の場合である。
【図５】アンテナに雪が着雪した場合における本願発明のマスト取付金具と周知技術のマスト取付金具を比較するための要部拡大図であり，（ａ）本願発明のマスト取付金具の場合，（ｂ）周知技術のマスト取付金具の場合である。
【図６】本願発明のマスト取付金具の異なる実施形態を説明するための要部拡大図であり，（ａ）は水平偏波受信の場合，（ｂ）は垂直偏波受信の場合である。
【発明を実施するための形態】
【実施例１】
【００２１】
以下，本発明の実施形態に係るマスト取付金具の使用例について図面１を基に説明する。図１は本願発明のマスト取付金具を備えたアンテナを説明するための斜視図である。この図１において，１０は本願発明の実施形態に係るマスト取付金具であり，１００は例えばＵＨＦ帯の電波の送受信に利用されるアンテナを示している。
【００２２】
この図において２は，周知のようにアルミニウム或いは塑性変形可能な硬質材等によって形成された中空のブームを示しており，一般的には建物等の上に設置されたアンテナマスト３の上方に装着され，電波到来方向に向けて配置される。
ブーム２の軸線方向においては，図１に示されるように導波器６，放射器５，反射器４が高周波的に適切な間隔を隔てた位置に周知に手段で備えられている。
前記導波器６が設けられているブーム２にあっては，夫々ブーム２の軸線に対して直交する方向に向けて適切な間隔を隔てて，当該導波器６を構成するアンテナエレメント６ａが貫通するように形成された２個一対の貫通孔が複数個所に備えられており，当該貫通孔において前記アンテナ素子６ａがブーム２に対して固着されている。
【００２３】
このように構成されたアンテナ１００において，ブーム２の軸線方向の長さが長い場合，当該アンテナ１００をアンテナマスト３に取付ける方法の一例として，図１に示されているように，ブーム２の中間部に略Ｕ字状の断面略円形の支持杆７を取付けることでアンテナ１００を支持すると共に，当該支持杆７に具備されたマスト取付金具１０を使ってアンテナマスト３に取付ける構造のものが知られている。
尚，前記アンテナ１００のブーム２と支持杆７との取り付けは，当該支持杆７の立上部７ａの上端に添え付けられ連結具７ｂによって行なわれる。
【００２４】
次に図２及び図３を用いて前記マスト取付金具１０について説明する。これらの図において，図２は，本願発明のマスト取付金具１０を説明するために分解した斜視図である。図３は，本願発明のマスト取付金具１０を構成するマスト取付基体５０を説明するための図であり，（ａ）は上面図，（ｂ）は（ａ）の右側面図，（ｃ）は正面図，（ｄ）は（ｃ）の右側面図，（ｅ）は（ｃ）におけるＡ−Ａ´線から見た断面図，（ｆ）は（ｃ）におけるＢ−Ｂ´線から見た断面図，（ｇ）は支持杆を装着した状態を示す一部を断面にした右側面図である。尚，以下の説明で方向を記す場合は，特に明示しないかぎり図４で示された状態を基準とし，図４における上が上方若しくは上側であり，図４における下が下方若しくは下側である。また，図４における上下方向が垂直方向であり，図４における左右方向が水平方向である。
【００２５】
本願発明のマスト取付金具１０は，例えば金属材等を成型したものであり，図２に示されているように，内側に湾曲状に形成された凹部に受け入れた前記支持杆７に対して，取付ボルト７０（以下，特に明示した場合を除いて蝶ナット７１を含む）を使って，前記アンテナエレメント６ａの配設方向を水平方向から垂直方向の範囲で（言い換えれば，前記支持杆７の立上部７ａの配設方向を垂直方向から水平方向の範囲で）回動自在に固着して取り付けるように構成されたマスト取付基体５０と，当該マスト取付基体５０との間に前記アンテナマスト３を受け入れ，当該アンテナマスト３に当て付けるように構成されたマスト当付金具３０と，前記マスト取付基体５０に備えられ，当該マスト取付基体５０と前記マスト当付金具３０とを，前記アンテナマスト３を挟んだ状態でナット４１の螺合を使って挟持緊締するＵ字ボルト４０（以下，特に明示した場合を除いて蝶ナット４１を含む）と，から構成されている。
【００２６】
ここで前記アンテナ取付基体５０について説明する。前記アンテナ取付基体５０は，中間位置に備えられた部材であって，内側には湾曲状に形成された凹部に前記支持杆７を受け入れると共に，外側には当該アンテナ取付基体５０（延いては，マスト取付金具１０）を前記アンテナマスト３に着脱自在に固着する前記Ｕ字ボルト４０を保持するように形成された基体５０Ａと，当該基体５０Ａの両側に一体的に延設され，湾曲状に形成された凹部の内側に前記支持杆７を受け入れ回動自在に固着するように形成された支持杆取付体５０Ｂ・５０Ｃと，から構成されている。
【００２７】
更に詳しく説明すれば，前記基体５０Ａは，内側に前記支持杆７を受け入れる凹部であって，当該支持杆７の外周面に重合しないよう湾曲状に形成された受入部５１Ａを備えると共に，外側には前記アンテナマスト３に向かうように設けられ，当該アンテナマスト３に添え付けるための鋸歯部５２ａが形成され，前記受入部５１Ａの上下に位置するように設けられた一対の添付部５２Ａと，前記受入部５１Ａの上下方向の中間位置にあって，前記アンテナマスト３とは重合しないように設けられ，前記Ｕ字ボルト４０の元部４２を，前記支持杆７の軸線に平行な軸線を回転軸として回動自在となるように収納保持する収容部５３Ａと，を備えるように構成されている。
【００２８】
次に前記支持杆取付体５０Ｂ・５０Ｃについて説明する。尚，支持杆取付体５０Ｂ・５０Ｃは，同じ構成のものが前記基体５０Ａを挟んで左右対称となるように配設されているため，以下の説明では主に一方の前記支持杆取付体５０Ｂを用いて説明する。前記支持杆取付体５０Ｂ（５０Ｃ）は，内側に前記支持杆７を受け入れ回動自在に固着するように形成された部材であって，前記支持杆７の外周面に対応する凹部を有するように形成され，当該支持杆７の一方側の側面を開口部５４ｂ（５４ｃ）から受け入れる当接部５４Ｂ（５４Ｃ）と，前記当接部５４Ｂ（５４Ｃ）の前記凹部の形成方向における一方側の開口端部から突出するように一体的に連設された止着部５５Ｂ（５５Ｃ）を備える。
【００２９】
更に加えて，前記当接部５４Ｂ（５４Ｃ）に設けられた孔であって，前記凹部の形成方向に長手方向を有するように形成され，前記取付ボルト７０の軸部７３を挿通すると共に，前記支持杆７の立上部７ａの配設方向（垂直方向から水平方向の範囲）の変更に伴う前記取付ボルト７０の回動を自在とするように構成された長孔５６Ｂ（５６Ｃ）と，前記止着部５５Ｂ（５５Ｃ）の先端面５５ｂ（５５ｃ）から前記長孔５６Ｂ（５６Ｃ）に向けて，当該長孔５６Ｂ（５６Ｃ）の長手方向の軸線と略一致する軸線を有するように設けられ，前記取付ボルト７０の回動に伴って当該取付ボルト７０の軸端部を挿抜自在に係合する大きさに形成された切欠部５８Ｂ（５８Ｃ）と，前記止着部５５Ｂ（５５Ｃ）の先端面５５ｂ（５５ｃ）部分から外方向に設けた止片であって,前記切欠部５８Ｂ（５８Ｃ）に挿着された状態の，前記取付ボルト７０の軸端部に螺合する蝶ナット７１を係り止めるように突設した係止片５７Ｂ（５７Ｃ）と，を備えるように構成されている。
【００３０】
尚，本願発明の実施形態に係る前記止着部５５Ｂ（５５Ｃ）は，図に示されているように，前記当接部５４Ｂ（５４Ｃ）の開口部５４ｂ（５４ｃ）における上側開口端部５４ｂａ（５４ｃａ）から前記支持杆７側に向かって突出するように連設されており，前記係止片５７Ｂ（５７Ｃ）から前記上側開口端部５４ｂａ（５４ｃａ）までの範囲内で続く平面を有する板体５９Ｂ（５９Ｃ）で構成されている。しかも，前記板体５９Ｂ（５９Ｃ）は，当該板体５９Ｂ（５９Ｃ）と前記当接部５４Ｂ（５４Ｃ）の下側開口端部５４ｂｂ（５４ｃｃ）との間で，前記前記支持杆７を受け入れる程の幅を有するように，前記平面が水平方向Ｈより下方Ｒに向けて傾斜させ，前記支持杆７の他方側の上側側面に沿わせる配置となっている[図３（ｇ）参照]。
【００３１】
また，本願発明の実施形態では，前記長孔５６Ｂ（５６Ｃ）の側辺部に形成され，前記支持杆取付体５０Ｂ（５０Ｃ）の外方向に向かうように突出した堤状突起５６ｂ（５６ｃ）が形成されている。この堤状突起５６ｂ（５６ｃ）は，前記長孔５６Ｂ（５６Ｃ）に挿着された状態の，前記取付ボルト７０のネジ頭７２を係り止めるように設けられたものであり，前記係止片５７Ｂ（５７Ｃ）の存在と合わせ，前記取付ボルト７０の緊締によって，前記支持杆７と本願発明のアンテナ取付基体５０との固着状態（水平方向及び垂直方向）を確実に維持させることができる。
【００３２】
このように，本発明の実施形態に係る前記止着部５５Ｂ（５５Ｃ）は，少なくとも平面を有した前記板体５９Ｂ（５９Ｃ）と，当該板体５９Ｂ（５９Ｃ）の先端面５５ｂ（５５ｃ）から形成された前記切欠部５８Ｂ（５８Ｃ）と，前記板体５９Ｂ（５９Ｃ）の先端面５５ｂ（５５ｃ）付近に形成された前記係止片５７Ｂ（５７Ｃ）と，から構成されている。
【００３３】
次に，前記マスト当付金具３０は，金属材等の板体を，一方を開口するように形成した箱体からなり，前記アンテナ取付基体５０に具備された一対の添付部５２Ａと対向するとように突出させた一対の当付片３２が形成されている。また，前記マスト取付金具３０の底部には孔３３,３４が形成されており，前記Ｕボルト４０の自由端４３が挿通される。取り付けに当たっては，当該前記マスト当付金具３０の当付片３２と前記マスト取付基体５０の添付部５２Ａとを，前記アンテナマスト３を挟んだ状態でナット４１の螺合を使って前記Ｕ字ボルト４０で挟持緊締することで行なわれ，前記マスト取付金具１０は前記アンテナマスト３に固着される。
【００３４】
次に，前記マスト取付金具１０の使用方法についいて図４を用いて説明する。図４は本願発明のマスト取付金具１０と支持杆７の装着状態を説明するための要部拡大図であり，（ａ）は水平偏波受信の場合，（ｂ）は垂直偏波受信の場合である。尚，図４において破線で示されたブーム２と，アンテナエレメント６ａは，前記アンテナ１００の存在を模式的に示したものであり，当該アンテナ１００に具備された前記アンテナエレメント６ａの配設方向を示すために表示したものである。
【００３５】
始めに，本願発明のマスト取付金具１０と前記支持杆７との取り付けについて説明する。これらの各部材の取り付けに当たっては，少なくとも前記マスト取付金具１０に形成された前記長孔５６Ｂ（５６Ｃ）と，前記支持杆７を貫通するように形成された連結孔７ｃと，がそれぞれ対向するように配設する。その状態で前記取付ボルト７０を，前記長孔５６Ｂ（５６Ｃ）側から前記支持杆７の連結孔７ｃに対して挿通する。そして，挿通が完了したなら，前記取付ボルト７０が前記連結孔７ｃにおいて軸線方向に遊挿自在となるように，当該取付ボルト７０の軸部７３に形成された雄ネジの先端部に蝶ナット７１を緩やかに取り付けておく。
【００３６】
前記蝶ナット７１の取り付けが終わったなら，前記支持杆７の配設方向の設定を行なう。水平偏波の電波を受信する場合，図４（ａ）に示されているように，前記支持杆７の立上部７ａの配設方向が垂直（図４の上下方向。これに伴いアンテナエレメント６ａは水平方向に配設される）になるまで，前記支持杆７を前記マスト取付金具１０に沿うように回動させる。この時，本願発明の実施形態では，前記取付ボルト７０の軸部７３が，前記当接部５４Ｂ（５４Ｃ）に形成された前記長孔５６Ｂ（５６Ｃ）の下側に位置する内周面に当接するように，また，前記蝶ナット７１が挿着された前記取付ボルト７０の軸部７３の端部が，前記止着部５５Ｂ（５５Ｃ）に形成された前記切欠部５８Ｂ（５８Ｃ）における図４の上側に位置する内周面に当接するように前記支持杆７を回動させれば，前記支持杆７の立上部７ａは垂直方向（アンテナエレメント６ａは水平方向）に配設できるように構成してある。そして，このように前記支持杆７を垂直方向に配設した状態で前記蝶ナット７１を前記取付ボルト７０に緊締することによって前記支持杆７（即ち，アンテナ１００）は固定保持される。
【００３７】
この状態では，前記蝶ナット７１は前記止着部５５Ｂ（５５Ｃ）の前記板体５９Ｂ（５９Ｃ）の平面と当接した状態で締め付けられるので，前記蝶ナット７１の緊締状態を確りと保持することができる。また，例え前記蝶ナット７１による緊締が僅かに緩んだとしても，前記長孔５６Ｂ（５６Ｃ）の内周面と前記切欠部５８Ｂ（５８Ｃ）の内周面の存在によって，前記支持杆７の図における左方向への回動は無い。また，前記取付ボルト７０の端部に対応する前記と前記取付ボルト７０のネジ頭の対応する前記堤状突起５６ｂ（５６ｃ）の存在によって，前記支持杆７の図における右側への回動は制限を受けるため，前記支持杆７の配設方向が大きく変位することは無い。
【００３８】
次に，垂直偏波の電波を受信する場合について図４（ｂ）を用いて説明する。図４（ｂ）に示されているように，前記支持杆７の立上部７ａの配設方向が水平（図４の左右方向。これに伴いアンテナエレメント６ａは垂直方向に配設される）になるまで，前記支持杆７を前記マスト取付金具１０に沿うように回動させる。この時，本願発明の実施形態では，前記取付ボルト７０の軸部７３が，前記当接部５４Ｂ（５４Ｃ）に形成された前記長孔５６Ｂ（５６Ｃ）の上側に位置する内周面に当接するまで回動させれば，前記支持杆７の立上部７ａは水平方向（言い換えれば，前記マスト取付金具１０が取り付けられた前記アンテナマスト３と垂直）に配設できるように構成してある。そして，所定位置に固定された状態で前記蝶ナット７１を緊締することによって前記支持杆７（即ち，アンテナ１００）は固定保持される。
【００３９】
この状態で，例え前記蝶ナット７１による緊締が僅かに緩んだとしても，前記取付ボルト７０の軸端７３が前記長孔５６Ｂ（５６Ｃ）の上側に位置する内周面に当接するので，図の右方向への回動は制限され，前記支持杆７の配設方向が変位することは無い。
【００４０】
アンテナ１００の配設方向の変更に当たっては，前記取付ボルト７０の緊締状態を，少なくとも前記係止片５７Ｂ（５７Ｃ）［本願の実施形態の場合は前記堤状突起５６ｂ（５６ｃ）を含む）］を乗り越えるほどに緩めるだけで行うことができる。
【００４１】
このように構成された本願発明のマスト取付金具１０と周知技術のマスト取付金具との違いについて図５を用いて説明する。図５はアンテナエレメントａが水平方向に配設されたアンテナに，雪が着雪した場合における本願発明のマスト取付金具１０と周知技術のマスト取付金具１３を比較するための要部拡大図であり，（ａ）本願発明のマスト取付金具１０の場合，（ｂ）周知技術のマスト取付金具１３の場合である。
【００４２】
図５（ａ）及び図５（ｂ）との比較で判るように，本願発明のマスト取付金具１０と周知技術のマスト取付金具１３との違いは，本願発明のマスト取付金具１０には，前記支持杆７の他方側の側面に被せるように一体的に突設した前記止着部５５Ｂ（５５Ｃ）が備えられていることであり，この止着部５５Ｂ（５５Ｃ）が本願発明の特徴である。尚，図５において破線で示したのはアンテナ１００・１１の存在であり，また，一点二短鎖線で示したのは着雪した雪の存在をそれぞれ模式的に記載したものである。
【００４３】
既に述べたように，これらの前記マスト取付金具は，風が吹き付けることで発生する風圧や，降雪によってアンテナに着雪した雪の自重が加わっても，当該アンテナが傾いてしまわないように，設置時の状態を維持する強固さが必要とされる。特に，前記アンテナが水平偏波を受信するようマストに取り付けられていて，しかもその設置場所が，降雪量の多い豪雪地帯に設置されている場合でも，アンテナの上に繰り返し積もる大量の雪の荷重や，風圧の荷重に耐えるようにしなければならない。
【００４４】
図５（ｂ）に示されている周知技術のマスト取付金具１３は，当該アンテナ補助アーム１５（本願発明の支持杆７に相当）の一方側の側面（図の左側に位置する側面）を受け入れて，取付ボルト２１でもって前記アンテナ補助アーム１５を固定保持する構成である。この構成では前記アンテナ補助アーム１５（言い換えれば，アンテナ１１）に，図の右方向の回動に係る力（即ち，積雪荷重Ｎや風圧荷重Ｗ）が加わったとすると，前記取付ボルト２１だけがそれらの力を受け止め支えることとなり，前記マスト取付金具１３の本体自体は，前記アンテナ補助アーム１５の保持状態を維持する支持剛性を高める役目を担っていない。
【００４５】
その結果，前記アンテナ１１に積もった雪の積雪荷重や，風が吹き付けることで発生する風圧荷重が前記アンテナ１１に繰り返し加わることによって，取付ボルト２１が徐々に曲がってしまって，受信性能を大きく損なうことが起きる。この時，図５（ｂ）の矢印Ｒで示されているように，アンテナ補助アーム１５に力が加わると，当該アンテナ補助アーム１５は，その軸線ではなく，取付ボルト２１とマスト取付金具１３とアンテナ補助アーム１５が連接されている部分を回動の凡の中心として，当該アンテナ補助アーム１５がマスト取付金具１３から離れる（図の間隙Ｇ）ように回動することから，前記取付ボルト２１のネジ頭近傍の軸部２３にストレスが集中して，前記取付ボルト２１のネジ頭近傍の軸部２３で曲がってしまい，その結果としてアンテナ１１の配設方向が傾いてしまう。
【００４６】
そこで特許文献１で示される従来技術では，アンテナ取付補助具１を新たに追加することによって，当該アンテナ取付補助具１とマスト取付金具１３とで，前記アンテナ補助アーム１５を挟み込むようにして取付ボルト２１で挟持緊締する構成としたことによって，マスト取付金具１３の支持剛性を高くしていた。
【００４７】
これに対して，本願発明のマスト取付金具１０は，図５（ａ）に示されているように，その内側の凹部に前記支持杆７の一方側の側面（図の実施例では支持杆７の左側に位置する側面）を受け入れると共に，前記当接部５４Ｂ（５４Ｃ）における前記止着部５５Ｂ（５５Ｃ）を，前記支持杆７の他方側の側面の一部（図の実施例では支持杆７の右側の上側側面）に被せるように備えることで，前記当接部５４Ｂ（５４Ｃ）と前記止着部５５Ｂ（５５Ｃ）とで持って，前記支持杆７を挟み込むように前記取付ボルト７０でもって挟持緊締するように構成されている。その為，前記支持杆７（言い換えれば，アンテナ１００）に，図の右方向の回動に係る力（即ち，積雪荷重Ｎや風圧荷重Ｗ等）が加わったとしても，前記取付ボルト７０及び前記止着部５５Ｂ（５５Ｃ）がそれらの力を分散して受け止め支えることができるから，ストレスによって前記取付ボルト７０が曲がってしまってアンテナ１００が大きく傾き，受信性能が劣化することを防ぐことができる。
【００４８】
しかも，前記止着部５５Ｂ（５５Ｃ）はマスト取付金具１０本体と一体的に形成されているため，当該マスト取付金具１０本体自体も，前記支持杆７の保持状態を維持する役目を担わすことができるので，従来技術のように補強のための余分な部材を備えたり，当該部材を組み付けたりする手間が省けることから，コストが安価で且つ取扱性の優れたマスト取付金具１０を提供できる。
【００４９】
つまり，図５（ａ）に示された実施形態では，前記支持杆７（つまり，アンテナ１００）に対して図の右方向に回動させようとする力は，前記取付ボルト７０から当該取付ボルト７０が前記切欠部５８Ｂ（５８Ｃ）において係合された前記止着部５５Ｂ（５５Ｃ）加わる。更に当該止着部５５Ｂ（５５Ｃ）に加わった力は，当該止着部５５Ｂ（５５Ｃ）の前記板体５９Ｂ（５９Ｃ）の平面の傾斜方向である斜め下向き外方向に加わるものの，前記止着部５５Ｂ（５５Ｃ）は，前記支持杆取付体５０Ｂ・５０Ｃに一体的に形成されていることから，前記マスト取付金具１０本体自体も，前記支持杆７の保持状態を維持する役目を担うことで，支持剛性が高くなる。
【００５０】
更に言えば，図５（ａ）に示された実施形態では，前記止着部５５Ｂ（５５Ｃ）は，前記板体５９Ｂ（５９Ｃ）がなす平面が，水平方向より下方に向くように傾斜させた状態で，前記支持杆７の他方側の上側側面に沿うように被せつけられていることから，仮に，前記アンテナ１００に対して前記止着部５５Ｂ（５５Ｃ）が撓むような大きな力が加わったとしても，当該止着部５５Ｂ（５５Ｃ）が前記支持杆７を巻き込むように撓んで負荷を吸収するため，前記取付ボルトに負荷が集中して当該取付ボルトが曲がってしまうことを防止でき，前記支持杆７の配設方向の大きな変化は起こらない。
【００５１】
既に述べたようにこの状態において，前記蝶ナット７１と前記止着部５５Ｂ（５５Ｃ）における前記板体５９Ｂ（５９Ｃ）の平面との当接面は，図５（ｂ）に示された周知技術のような，アンテナ補助アーム１５の外周面と蝶ナット２１ａとの当接面と比べ広くなるので，より確りと緊締状態を維持することができる。また，例え前記蝶ナット７１による緊締が僅かに緩んだとしても，前記取付ボルト７０の端部に対応する前記係止片５７Ｂ（５７Ｃ）と前記取付ボルト７０のネジ頭の対応する前記堤状突起５６ｂ（５６ｃ）の存在によって，前記支持杆７の図における右側への回動は制限を受けるため，前記支持杆７の配設方向が大きく変位することは無い。
【００５２】
尚，本発明は，図６において例示するマスト取付金具１０Ａように，本発明の趣旨を逸脱しない範囲で各部の構成を適宜に変更して実施することも可能である。尚，図６は本願発明のマスト取付金具の異なる実施形態を説明するための要部拡大図であり，（ａ）は水平偏波受信の場合，（ｂ）は垂直偏波受信の場合を示している。
本願発明の異なる実施形態のマスト取付金具１０Ａと，前記マスト取付金具１０との違いは，前記止着部５５Ｂ（５５Ｃ）の形成位置にある。前記マスト取付金具１０における前記止着部５５Ｂ（５５Ｃ）は，前記当接部５４Ｂ（５４Ｃ）の開口部５４ｂ（５４ｃ）における上側開口端部５４ｂａ（５４ｃａ）から，前記支持杆７側に向かって斜め下方に向けて突出させた例を示したが，この異なる実施形態におけるマスト取付金具１０Ａの止着部５５Ｂ（５５Ｃ）は，図６に示されるように，前記開口部５４ｂ（５４ｃ）における下側開口端部５４ｂｂ（５４ｃｃ）から，前記支持杆７側に向かって斜め上方に向けて突出するように一体的に連設されている。
【００５３】
この異なる実施形態における止着部５５Ｂ（５５Ｃ）は，当該止着部５５Ｂ（５５Ｃ）を構成する板体５９Ｂ（５９Ｃ）の平面が，水平方向より斜め上方に向けて突設されているため，図６（ａ）のようにアンテナ１００の配設方向を水平偏波受信に対応させた状態では，この止着部５５Ｂ（５５Ｃ）は前記支持杆７の他方側の下側側面（図の実施例では支持杆７の右側に位置する下側側面）を斜め下から受け止める（矢印ｒ）。その結果，この止着部５５Ｂ（５５Ｃ）は，前記支持杆７がボルト７０とマスト取付金具１０と支持杆７の連接部分を回動の凡その中心として，前記マスト取付金具１０の凹部から図の右方向へ離れようとする動きを制限するので，前記取付ボルト７０（詳しくは，当該取付ボルト７０のネジ頭７２近傍の軸部７３）に加わるストレスは，当該取付ボルト７０と前記止着部５５Ｂ（５５Ｃ）とで分散され，前記支持杆７の配設方向を大きく変化させることを防ぐから，アンテナが大きく傾いて，受信性能が劣化することが無い。
【符号の説明】
【００５４】
２…ブーム，３…アンテナマスト，４…反射器，５…放射器，６…導波器，６ａ…アンテナエレメント，７…支持杆，７ａ…立上部，７ｂ…連結具，７ｃ…連結孔，１０…マスト取付金具，３０…マスト当付金具，３２…当付片，３３・３４…孔，４０…Ｕ字ボルト，４１…蝶ナット，４２…元部，４３…自由端，５０…マスト取付基体，５０Ａ…基体，５１Ａ…受入部，５２Ａ…添付部，５２ａ…鋸歯部，５３Ａ…収容部，５０Ｂ・５０Ｃ…支持杆取付体，５４Ｂ・５４Ｃ…当接部，５４ｂ・５４ｃ…開口部，５４ｂａ・５４ｃａ…上側開口端部，５４ｂｂ・５４ｃｃ…下側開口端部，５５Ｂ・５５Ｃ…止着部，５５ｂ・５５ｃ…先端面，５６Ｂ・５６Ｃ…長孔，５６ｂ・５６ｃ…堤状突起，５７Ｂ・５７Ｃ…係止片，５８Ｂ・５８Ｃ…切欠部，５９Ｂ・５９Ｃ…板体，７０…取付ボルト，７１…蝶ナット，７２…ネジ頭，７３…軸部，１００…アンテナ。
【図１】
0005689745.tif 000002
【図２】
0005689745.tif 000003
【図３】
0005689745.tif 000004
【図４】
0005689745.tif 000005
【図５】
0005689745.tif 000006
【図６】
0005689745.tif 000007